(57)【要約】【課題】読み取り対象であるＲＦＩＤタグを一括して同時に読み取る場合に、読取りゲートの外側にある読み取り対象ではないＲＦＩＤタグを読み取ることが無い読み取りゲートを提供することを課題とする。【解決手段】複数の物品に取り付けられたＲＦＩＤタグを一括して読み取るための読み取りゲート１０であって、読み取りゲートを構成する読み取りゲート構造体３と、ＲＦＩＤタグに記録されている情報を読み取るためのアンテナ１と、を備えており、読み取りゲート構造体は、物品が通るための通路の床面以外を、物品が進行する方向に直交する面内で、通路に沿って取り囲むように備えられており、アンテナは、ＲＦＩＤタグを上方から読み取ることができる読み取りゲート構造体の位置に設置されていることを特徴とする読み取りゲート。【選択図】図１
2017123014.tif 000002
【特許請求の範囲】
【請求項１】
複数の物品に取り付けられたＵＨＦ帯のＲＦＩＤタグを一括して読み取るための読み取りゲートであって、
読み取りゲートの躯体を構成する読み取りゲート構造体と、
ＲＦＩＤタグに記録されている情報を読み取るためのアンテナと、を備えており、
読み取りゲート構造体は、物品が進行するための通路の床面以外を、物品が進行する方向に直交する面内で、通路に沿って取り囲むように備えられており、
アンテナは、ＲＦＩＤタグを上方から読み取ることができる読み取りゲート構造体に設置されていることを特徴とする読み取りゲート。
【請求項２】
前記読み取りゲート構造体が、電波吸収体を備えていることを特徴とする請求項１に記載の読み取りゲート。
【請求項３】
前記アンテナが、前記物品が進行する平面に平行な面内で９０°回転することができる手段に備えられていることを特徴とする請求項１または２に記載の読み取りゲート。
【発明の詳細な説明】
【技術分野】
【０００１】
本発明は、ＵＨＦ帯のＲＦＩＤタグの一括読取りを行うための読取りゲートに関する。
【背景技術】
【０００２】
ＵＨＦ帯のＲＦＩＤタグは、製造工程、物流の現場、倉庫、ビデオショップなどにおいて管理対象の物品に取り付けて、リーダー／ライターによって管理対象の物品に関する情報を書き込み、それを読み取ることによって管理する手段として一般的になりつつある。
【０００３】
特に複数の物品に取り付けたＲＦＩＤタグを一括して同時に読み取ることにより、業務の効率化を実現することが可能であるが、例えば、物流の現場における入荷作業や出荷作業で複数一括読取りを読み取りゲートで行う際に、その特性によっては、読み取る対象の物品の周辺に存在する読み取る対象ではない物品に取り付けてあるＲＦＩＤタグを読み込んでしまう虞がある。
【０００４】
図４はその状況を具体的に示したものであり、読み取りゲート２０を読み取り対象の物品を進行させる方向から見た側面図の例を示している。従来から使用されている読み取りゲート２０は、物品が進行する通路の両脇に、読み取りゲート構造体３が設けられており、その中間位置に読み取る対象の物品に取り付けてあるＲＦＩＤタグを読み取るためのアンテナ１が設置されている。そのアンテナ１によるＲＦＩＤタグの読み取り範囲２の例を破線による楕円で示した。ＵＨＦ帯のＲＦＩＤタグの読み取り用アンテナ１の読み取り範囲は通常、この様に楕円（正確には楕円体）形である。従来の読み取りゲート２０における読み取り範囲２は、読み取りゲート２０の内側のみならず、読み取りゲート２０の外側にも存在するのが通常である。また読み取りの感度を上げるために、アンテナ１から放射される電磁波の強度を強くすると、読み取り範囲２は更に拡大するため、読み取り対象ではないＲＦＩＤタグが読み取られてしまう虞が大きくなる。
【０００５】
そのような問題点を解決するため、ＲＦＩＤタグの複数一括読取りを行う読み取りゲートについての先行技術を調査したが、読み取り対象の物品の周辺に存在する読み取り対象ではない物品に取り付けてあるＲＦＩＤタグを読み込まないようにした読み取りゲートなどの読み取り技術を見出すことはできなかった。
【０００６】
近い技術として例えば、特許文献１には、一般的なＲＦＩＤリーダーと一般的なアンテナから得られる読取ＲＦＩＤタグの電波受信強度、位相やドップラー周波数の時系列データによって、アンテナの前を移動したＲＦＩＤタグと静止したままのＲＦＩＤタグを識別することが可能な技術が開示されているが、上記の問題点を解決する手段とは異なるものであった。
【先行技術文献】
【特許文献】
【０００７】
【特許文献１】特許第５６６５６９５号公報
【発明の概要】
【発明が解決しようとする課題】
【０００８】
上記の事情に鑑み、本発明は複数の物品に取り付けたＲＦＩＤタグを読み取りゲートなどの読み取り手段を通すことによって、読み取り対象であるＲＦＩＤタグを一括して同時に読み取る場合に、読取りゲートの外側にある読み取り対象ではないＲＦＩＤタグを読み取ることが無い読み取りゲートを提供することを課題とする。
【課題を解決するための手段】
【０００９】
上記の課題を解決する手段として、本発明の請求項１に記載の発明は、複数の物品に取り付けられたＵＨＦ帯のＲＦＩＤタグを一括して読み取るための読み取りゲートであって、
読み取りゲートの躯体を構成する読み取りゲート構造体と、
ＲＦＩＤタグに記録されている情報を読み取るためのアンテナと、を備えており、
読み取りゲート構造体は、物品が進行するための通路の床面以外を、物品が進行する方向に直交する面内で、通路に沿って取り囲むように備えられており、
アンテナは、ＲＦＩＤタグを上方から読み取ることができる読み取りゲート構造体に設置されていることを特徴とする読み取りゲートである。
【００１０】
また、請求項２に記載の発明は、前記読み取りゲート構造体が、電波吸収体を備えていることを特徴とする請求項１に記載の読み取りゲートである。
【００１１】
また、請求項３に記載の発明は、前記アンテナが、前記物品が進行する平面に平行な面内で９０°回転することができる手段に備えられていることを特徴とする請求項１または２に記載の読み取りゲートである。
【発明の効果】
【００１２】
本発明の読み取りゲートによれば、複数の物品に取り付けられたＲＦＩＤタグの情報を読み取るためのアンテナが、物品が進行する通路の床面以外を、物品が進行する方向に直交する面内で、通路に沿って取り囲むように形成された読み取りゲート構造体の上方に備えられているため、読み取られるべきＲＦＩＤタグだけが読み取られるようにアンテナを設置することができる。そのため読み取られるべきではないＲＦＩＤタグは読み取られないようにすることが可能である。
【００１３】
また、読み取りゲート構造体が電波吸収体を備えることによって、更にアンテナがＲＦＩＤタグを読み取る範囲を狭めることが可能となるため、読み取られるべきではないＲＦＩＤタグを読み取らないようにすることが可能である。
【００１４】
また、アンテナが、物品が進行する平面に平行な面内で９０°回転することができる手段に備えられているため、読み取られるべきでないＲＦＩＤタグが読み取られる事態が発生した場合に、９０°回転させることによって、読み取られるべきでないＲＦＩＤタグが読み取られないようにすることができる。
【図面の簡単な説明】
【００１５】
【図１】本発明のＲＦＩＤタグの読み取りゲートの一例を示す側断面図。
【図２】本発明のＲＦＩＤタグの読み取りゲートの一例を示す側断面図であり、読み取りゲート構造体に電波吸収体を備えている場合の例を示している。
【図３】図１の本発明のＲＦＩＤタグの読み取りゲートを上方から見た上面図を示しており、（ａ）はある状態のアンテナとそのアンテナの読み取り範囲の例を示した説明図、（ｂ）は（ａ）の状態からその面内でアンテナを９０°回転させた状態のアンテナの読み取り範囲の例を示した説明図、である。
【図４】従来のＲＦＩＤタグの読み取りゲートの一例を示す側断面図。
【発明を実施するための形態】
【００１６】
本発明の読み取りゲートについて、図１〜３を用いて説明する。
図１に示す様に、本発明の読み取りゲート１０は、複数の物品に取り付けられたＲＦＩＤタグを一括して読み取るための読み取りゲートである。本発明の読み取りゲート１０は
、読み取りゲート１０を構成する読み取りゲート構造体３と、ＲＦＩＤタグに記録されている情報を読み取るためのアンテナ１と、を備えている。
【００１７】
読み取りゲート構造体３は、物品が進行するための通路５の床面以外を、物品が進行する方向に直交する面内で、通路５に沿って取り囲むように備えられている。この読み取りゲート構造体３の物品が進行する方向の長さは特に限定されない。使用するアンテナ１のサイズ分の長さまたはそれ以下の長さでも良いし、複数のアンテナを物品が進行する方向に並べた場合は、それらのアンテナの長さを合計した長さより長くても構わない。
また、アンテナ１は、ＲＦＩＤタグを上方から読み取ることができる読み取りゲート構造体３の位置に設置されていれば良く、読み取るべきＲＦＩＤタグ全てを読み取れる位置に配置されていれば良いため、その具体的な位置は特に限定されない。読み取りゲート構造体３の上部の中央でも良いし、端部でも良い。
【００１８】
読み取る対象である物品に取り付けられているＲＦＩＤタグは、例えば、図１の紙面の上方から下方に向って進行する時に、アンテナ１の読み取り範囲２に入ることによって、ＲＦＩＤタグに記録されている情報を読み取られる。
【００１９】
図２は、読み取りゲート構造体４が電波吸収体を備えている場合のアンテナ１の読み取り範囲２が、電波吸収体を備えていない場合の読み取り範囲より狭められることで、アンテナ１の指向性が高まることを示している。このようにすることで、本発明の読み取りゲート１０が、複数の物品に取り付けられているＲＦＩＤタグを一括読み取りする時に、読み取りゲート１０の周辺部にある、読み散られるべきでないＲＦＩＤタグを無くす方向に、読み取りゲート１０の読み取り性能を修正する場合に有効である。電波吸収体としては、特に限定されず、導電性電波吸収材料、誘電性電波吸収材料、磁性電波吸収材料のいずれも適用可能である。また電波吸収体の形態も特に限定されない。構造材型、貼付け型、塗装型のいずれでも使用することができる。また、電波吸収体は、読み取りゲート構造体４の全てを構成していても良いし、読み取りゲート構造体４の一部を構成するように使用されていても良い。例えば、通路５の床面に起立している読み取りゲート構造体４の表面を被覆していても良い。また、読み取りゲート構造体４の内部に心棒のように備えられていても良い。
【００２０】
図３は、図２に示した本発明の読み取りゲート１０の構成例を、上方から見た場合の説明図である。図３（ａ）は当初のアンテナ１の設置されている状態の読み取り範囲２が、図示したように、物品の進行方向に直交する方向に楕円形の長軸がくるように配置された場合を示している。これに対して図３（ｂ）はアンテナ１を９０°回転したことにより、読み取り範囲２´が物品の進行方向に幅が狭い楕円形の短軸が配置された状態を示している。このようにすることにより、読み取りゲート１０の外部にある読み取られるべきでないＲＦＩＤタグが読み取られないようにすることができる。
【符号の説明】
【００２１】
１・・・アンテナ
２、２´・・・読み取り範囲
３・・・読み取りゲート構造体
４・・・読み取りゲート構造体（電波吸収体）
１０、２０・・・読み取りゲート
【図１】
2017123014.tif 000003
【図２】
2017123014.tif 000004
【図３】
2017123014.tif 000005
【図４】
2017123014.tif 000006